(57)【要約】【課題】被写界深度を任意且つ容易に設定可能なカメラを提供する。【解決手段】本発明のカメラは（１）、撮影視野内において、複数の計測位置（１５）を含む任意の領域、又は任意の計測位置（１５）を選択可能な選択部（２０）と、前記選択部（２０）により選択された領域又は複数の計測位置（１５）に存在する被写体についての距離に関する情報を、前記各計測位置（１５）毎に検出する距離情報検出部（６）と、前記距離情報検出部６が検出した複数の前記距離に関する情報に基づき、前記選択部（２０）で選択された領域又は計測位置（１５）の中で最も距離の近い被写体と最も距離の遠い被写体のいずれもが合焦とみなせるような被写界深度を決定する被写界深度演算部（７）と、を備えることを特徴とする。【選択図】図４
2008256826.tif 000002
【特許請求の範囲】
【請求項１】
撮影視野内において、複数の計測位置を含む任意の領域、又は任意の計測位置を選択可能な選択部と、
前記選択部により選択された領域又は複数の計測位置に存在する被写体についての距離に関する情報を、前記各計測位置毎に検出する距離情報検出部と、
前記距離情報検出部が検出した複数の前記距離に関する情報に基づき、前記選択部で選択された領域又は計測位置の中で最も距離の近い被写体と最も距離の遠い被写体のいずれもが合焦とみなせるような被写界深度を決定する被写界深度演算部と、
を備えることを特徴とするカメラ。
【請求項２】
請求項１に記載のカメラであって、
前記被写界深度演算部は、前記最も距離の近い被写体と前記最も距離の遠い被写体のいずれもが合焦とみなせるようなレンズの位置と絞りの絞り値とを演算することを特徴とするカメラ。
【請求項３】
請求項１又は２に記載のカメラであって、
前記選択部に選択された前記領域又は前記複数の計測位置を、前記撮影視野内の被写体像とオーバラップさせつつ、且つ該被写体像上で識別可能となるような表示形態で表示する表示手段を更に有することを特徴とするカメラ。
【請求項４】
請求項１〜３のいずれか１項に記載のカメラであって、前記距離情報検出部は、デフォーカス量を検出することを特徴とするカメラ。
【請求項５】
請求項１〜４のいずれか１項に記載のカメラであって、
前記選択部は、前記撮影視野内において予め設定されている複数の計測位置の中から、任意の複数の計測位置を含む領域又は任意の複数の計測位置そのものを指定することによって、前記任意の領域又は前記任意の複数の計測位置を選択することを特徴とするカメラ。
【請求項６】
請求項１〜４のいずれか１項に記載のカメラであって、
前記選択部は、前記撮影視野内において予め設定されている複数の計測位置の中から、排除する計測位置を含む領域又は排除する計測位置そのものを指定することによって、前記任意の領域又は前記任意の複数の計測位置を選択することを特徴とするカメラ。
【請求項７】
請求項１〜６のいずれか１項に記載のカメラであって、
前記撮影視野内の被写体像を撮像する撮像手段と、
前記撮像手段で撮像された被写体画像を解析して、該撮影視野内における被写体の分類を行う被写体分類手段と、を更に有し、
前記選択部は、前記被写体分類手段による分類結果に基づいて、前記任意の領域又は前記複数の計測位置を選択することを特徴とするカメラ。
【請求項８】
請求項７に記載のカメラであって、
前記被写体分類手段は、前記撮影視野内における被写体を分類して人物被写体を抽出し、
前記選択部は、前記被写体分類手段による抽出結果に基づいて、前記人物被写体が存在する領域又は複数の計測位置を選択することを特徴とするカメラ。
【発明の詳細な説明】
【技術分野】
【０００１】
本発明は、被写界深度を調節することができる機能を有するカメラに関するものである。
【背景技術】
【０００２】
従来、撮影視野内において、被写界深度を調節することのできるカメラが提案されている（例えば、特許文献１参照）。
【特許文献１】特開平１１−３８３１３号公報
【発明の開示】
【発明が解決しようとする課題】
【０００３】
しかし、上記従来技術において、被写界深度を撮影者の好みに合わせて任意に設定する場合、その選択方法が複雑であって、容易に設定できるものではなかった。
【０００４】
本発明の課題は、被写界深度を、任意且つ容易に設定可能なカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、撮影視野内において、複数の計測位置（１５）を含む任意の領域（２２）、又は任意の計測位置（１５）を選択可能な選択部（２０）と、前記選択部（２０）により選択された領域又は複数の計測位置（１５）に存在する被写体についての距離に関する情報を、前記各計測位置（１５）毎に検出する距離情報検出部（６）と、前記距離情報検出部（６）が検出した複数の前記距離に関する情報に基づき、前記選択部（２０）で選択された領域又は計測位置（１５）の中で最も距離の近い被写体と最も距離の遠い被写体のいずれもが合焦とみなせるような被写界深度を決定する被写界深度演算部（７）と、を備えることを特徴とするカメラ（１）である。
請求項２に記載のカメラは、請求項１に記載のカメラ（１）であって、前記被写界深度演算部（７）は、前記最も距離の近い被写体と前記最も距離の遠い被写体のいずれもが合焦とみなせるようなレンズ（２）の位置と絞りの絞り値とを演算することを特徴とするカメラ（１）である。
請求項３に記載のカメラは、請求項１又は２に記載のカメラ（１）であって、前記選択部（２０）に選択された前記領域（２２）又は前記複数の計測位置（１５）を、前記撮影視野内の被写体像とオーバラップさせつつ、且つ該被写体像上で識別可能となるような表示形態で表示する表示手段（１１）を更に有することを特徴とするカメラ（１）である。
請求項４に記載のカメラは、請求項１〜３のいずれか１項に記載のカメラ（１）であって、前記距離情報検出部（６）は、デフォーカス量を検出することを特徴とするカメラ（１）である。
請求項５に記載のカメラは、請求項１〜４のいずれか１項に記載のカメラ（１）であって、前記選択部（２０）は、前記撮影視野内において予め設定されている複数の計測位置（１５）の中から、任意の複数の計測位置（１５）を含む領域（２２）又は任意の複数の計測位置（１５）そのものを指定することによって、前記任意の領域又は前記任意の複数の計測位置（１５）を選択することを特徴とするカメラ（１）である。
請求項６に記載のカメラは、請求項１〜４のいずれか１項に記載のカメラ（１）であって、前記選択部（２０）は、前記撮影視野内において予め設定されている複数の計測位置（１５）の中から、排除する計測位置（１５）を含む領域又は排除する計測位置（１５）そのものを指定することによって、前記任意の領域又は前記任意の複数の計測位置（１５）を選択することを特徴とするカメラ（１）である。
請求項７に記載のカメラは、請求項１〜６のいずれか１項に記載のカメラ（１）であって、前記撮影視野内の被写体像を撮像する撮像手段（４）と、前記撮像手段（４）で撮像された被写体画像を解析して、該撮影視野内における被写体の分類を行う被写体分類手段（７）と、を更に有し、前記選択部（２０）は、前記被写体分類手段（７）による分類結果に基づいて、前記任意の領域又は前記複数の計測位置（１５）を選択することを特徴とするカメラ（１）である。
請求項８に記載のカメラは、請求項７に記載のカメラ（１）であって、前記被写体分類手段（７）は、前記撮影視野内における被写体を分類して人物被写体を抽出し、前記選択部（２０）は、前記被写体分類手段（７）による抽出結果に基づいて、前記人物被写体が存在する領域又は複数の計測位置（１５）を選択することを特徴とするカメラ（１）である。
なお、符号を付して説明した構成は、適宜改良してもよく、また、少なくとも一部を他の構成物に代替してもよい。
【発明の効果】
【０００７】
本発明によれば、被写界深度を、任意且つ容易に設定することができる。
【発明を実施するための最良の形態】
【０００８】
(第１実施形態)
以下、図面等を参照して、本発明の第１実施形態について説明する。なお、第１実施形態では、一眼レフのデジタルカメラを例にとって説明する。
【０００９】
図１は第１実施形態の一眼レフタイプのカメラ１の構成を示すブロック図である。第１実施形態のカメラ１は、光軸Ａに沿って、撮影レンズ２、ミラー部３及び撮像素子(例えばＣＣＤ）４を備える。また、撮影レンズ２に入射した光のうちの、ミラー部３によって図中上方に向けられた光が入射するファインダー部５と、ミラー部３によって図中下方に向けられた光が入射する測距部６とを備える。カメラ１は、更に、撮像素子４及び測距部６からの情報が入力される制御部７を備え、その制御部７には、レリーズボタン９、操作部１０、液晶表示部（ＬＣＤ）１１、及びフォーカス制御部１３が接続されている。
【００１０】
以下、各々について詳述する。撮影レンズ２は、被写体像光を撮像素子４の撮像面等に結像させる光学系であり、この光学系の焦点位置を調節するためのフォーカスレンズを含む複数のレンズ群を備えている。
【００１１】
ミラー部３は、撮影レンズ２の出射側に配置され、メインミラー３ａ及びサブミラー３ｂを備えている。メインミラー３ａは、撮影レンズ２を通過した光をファインダー部５に向けて反射する鏡である。このメインミラー３ａは、その一部が、いわゆるハーフミラーとなっており、光の一部を透過させるようになっている。また、メインミラー３ａは、撮影時にレリーズボタン９が押されると、その端部に設けられた不図示の軸の回りに回動して反射面が光軸Ａに対して略平行となる位置に退避する、いわゆる、クイックリターンミラーである。サブミラー３ｂは、メインミラー３ａのハーフミラー部分を透過した光の進路を、例えば９０°、メインミラー３ａとは反対の方向に屈曲させて後述する測距部６に反射させる鏡である。
【００１２】
撮像素子４は、メインミラー３ａが退避したときに、光軸Ａに沿った光が届く位置に設けられ、撮影レンズ２が結像した像を電気信号に変換する撮像素子である。なお、撮像素子４としては、ＣＣＤに換えてＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）等の撮像素子を使用してもよい。
ミラー部３とＣＣＤ４との間には、露光時間を制御するシャッタユニット１２が設けられている。シャッタユニット１２は、先幕と後幕とを備えている。
【００１３】
ファインダー部５は、メインミラー３ａによって図中上方に向けられた光が入射するものであり、ペンタプリズム５ａと焦点板５ｂと備えている。
【００１４】
ペンタプリズム５ａは、メインミラー３ａが反射した光の進路を、屈曲させて接眼部(接眼レンズ５ｃ)に導く光学素子である。ペンタプリズム５ａは、例えば、カメラ１を通常撮影位置としたときに、ミラー部３の上方に設けられている。なお、本明細書において、カメラの通常撮影位置とは、カメラ本体の光軸を水平にして横長の画像を撮影する際のカメラの位置をさすものとする。焦点板５ｂは、メインミラー３ａが反射した光を結像する部分であり、メインミラー３ａとペンタプリズム５ａとの間に配置されている。
また、ファインダー部５には測光素子５ｅと、その測光素子５ｅに集光する測光用レンズ５ｄとから構成される測光部が設けられている。更に、ファインダー部５には、ファインダー内で被写体の光学像にオーバラップさせてフォーカスポイント表示等を行うために、焦点板５ｂに、このフォーカスポイント１５や後述する領域設定枠２２をスーパーインポーズ表示させるためのＬＣＤを含むファインダー内表示ユニット５ｆが設けられている。この表示ユニット５ｆにより、任意のフォーカスポイント１５を点灯させたり、消灯させたり、あるいは薄く点灯させたりすることができ、また、領域設定枠２２を変更表示したりできる。
【００１５】
測距部６は、サブミラー３ｂによって屈曲された光を２つに分けて視差のある二つの像を生成するマスク、及び、これらの二つの像をそれぞれ電気信号に変換する一対の光電変換素子列（ラインセンサ）を含んでいる。
【００１６】
制御部７は、カメラを構成する各要素を統括的に制御する情報処理部であり、ＣＰＵを備えている。制御部７は、上述した測距部６に備えられたラインセンサの出力から二つの像の相対的な焦点ずれ量（撮像面と等価な位置から実際の結像面位置までの距離）、即ちデフォーカス量を算出する。そして、フォーカス制御部１３により公知の位相差検出方式のオートフォーカス（ＡＦ）制御を行い、デフォーカス量がゼロとなるようにフォーカスレンズを駆動する。
【００１７】
また、制御部７は、撮像素子４により電気信号に変換された撮像情報を液晶表示部であるＬＣＤ１１に表示する。ＬＣＤ１１は、カメラ１のボディ背面に設けられており、撮影済みの画像、スルー画像及び撮影条件時の設定が可能なメニュー画面等を表示可能になっている。更に、後述するフォーカスポイントも表示されるようになっている。
【００１８】
レリーズボタン９は、カメラ１のボディ表面に設けられた押しボタンスイッチであり、用途に応じて、半押し状態及び全押し状態ができるようになっている。
【００１９】
操作部１０は、例えば、カメラ１のボディ背面等に設けられた、撮影条件時の設定が可能な機能選択スイッチを含み、ＬＣＤ１１にメニュー画面が表示された状態において、このメニュー画面に表示されたカーソルを操作することができるようになっている。更に操作部１０は、後述するフォーカスポイントを選択するセレクタ２０も含んでいる。なお、これらの機能選択スイッチ及びセレクタ２０は、別個に設けられてもよく、また同一のスイッチを兼用することもできる。
【００２０】
図２は、被写界深度優先モードが選択された場合に、ＬＣＤ１１に表示されるフォーカスポイント１５を示した図である。フォーカスポイント１５は本実施形態では１１点設けられている。これらのフォーカスポイント１５は、カメラの通常の撮影位置におけるファインダー内の上下方向（図中ｙプラス方向）の中央部に、左右に５つ等間隔で並んで配置されている。更にそのうちの中央の３点のそれぞれの上下には、更に１つずつフォーカスポイント１５が設けられており、１１点のフォーカスポイント１５は、全体として略ひし形に配置されている。
【００２１】
なお、本明細書において、フォーカスポイント１５とは、光学系の焦点調節状態を検出する位置を意味する。本実施形態では、測距部６を用いた位相差検出式のＡＦ制御と、撮像素子４により得られた画像を用いたコントラスト検出式のＡＦ制御を選択的に行うことができる。
【００２２】
図３は、図１で示す操作部１０の一部を示した図であり、操作部１０は、フォーカスポイント１５の選択を行うセレクタ２０と、後述する移動ボタン２１ａ、拡大ボタン２１ｂ、縮小ボタン２１ｃ、及び除外ボタン２１ｄを備えている。セレクタ２０の中央部にはフォーカスポイント選択終了ボタン（ＦＰ選択終了ボタン）２０ａが設けられ、その周囲には、上ボタン２０ｂ、下ボタン２０ｃ、左ボタン２０ｄ、及び右ボタン２０ｅが設けられている。
【００２３】
図４は、カメラ１の通常の撮影位置におけるＬＣＤ１１内に表示される撮影視野のスルー画像である。撮影時に被写界深度優先撮影モード(複数の撮影距離に存在する被写体の全てを合焦とみなせる状態で撮影を行うことができるモード)が選択されると、ＬＣＤ１１上では、スルー画像上に図２に示すフォーカスポイント１５をオーバラップさせた状態の表示が行われる。このフォーカスポイント１５の全ての領域について合焦とみなすことのできる被写界深度の深い状態での撮影を希望する場合、この状態で、図３のＦＰ選択終了ボタン２０ａを押す。そしてレリーズボタン９を押すと、フォーカスポイント１５のうちの、「山」の部分と重なる最も距離の遠いフォーカスポイント１５ａと、「家」の部分と重なる中間的な距離のフォーカスポイント１５ｂと、「人物」の部分と重なる最も距離の近いフォーカスポイント１５ｃと、の全てについて図１の測距部６によって測距が行われ、これらのいずれもが合焦とみなせるような被写界深度が演算され、レンズ位置及び絞り値が決定されて、フォーカスポイント１５の全ての領域について合焦した被写界深度の深い写真を撮ることができる。
【００２４】
フォーカスポイント１５のうちの一部のみの合焦を希望する場合、セレクタ２０を操作すると、フォーカスポイント１５のうちの合焦させる範囲の外枠を示す領域設定枠２２がＬＣＤ１１上に表示される。図５（ａ）はこの領域設定枠２２がＬＣＤ１１上に表示された状態（図５中では点線で表示）を示した図である。
【００２５】
次いで、図５（ａ）において、最も距離の遠い「山」を合焦範囲から除外した被写界深度での撮影を希望する場合、まず、セレクタ２０の上ボタン２０ｂを押して、図３の縮小ボタン２１ｃを押す。これにより領域設定枠２２の上のラインが下がり、領域が縮小する。次いで、セレクタ２０の左ボタン２０ｄを押して、縮小ボタン２１ｃを押すと、領域設定枠２２の左のラインが右に移動する。図５（ｂ）は、このようにして領域設定枠２２を右下方に縮小し、「山」が存在する２つのフォーカスポイント１５ａを領域設定枠２２の範囲から除外した状態を示した図である。この状態で、ＦＰ選択終了ボタン２０ａを押すとフォーカスポイント１５の範囲の選択が終了する。そしてレリーズボタン９を押すと、フォーカスポイント１５のうちの、「山」の部分と重なる最も距離の遠いフォーカスポイント１５ａ以外の、「家」の部分と重なる中間的な距離のフォーカスポイント１５ｂと、「人物」の部分と重なる最も距離の近いフォーカスポイント１５ｃとの両方が合焦とみなせるような被写界深度が演算され、レンズ位置及び絞り値が決定されて「家」と「人物」とについて合焦とみなせる写真を撮ることができる。
【００２６】
図５（ｂ）において、更に中間的な距離の「家」を合焦範囲から除外する場合、図５（ｂ）で領域設定枠２２を右下に縮小した状態で、更に、セレクタ２０の右ボタン２０ｅを押して、図３の縮小ボタン２１ｃを押し、領域設定枠２２の右のラインを左に移動させる。これにより、図５（ｃ）で示すように、「家」も領域設定枠２２から除外される。この状態で、ＦＰ選択終了ボタン２０ａを押してフォーカスポイント選択を終了させる。そしてレリーズボタン９を押すと、フォーカスポイント１５のうちの、「山」の部分と重なる最も距離の遠い２つのフォーカスポイント１５ａ及び「家」の部分と重なる中間的な１つの距離のフォーカスポイント１５ｂ以外の、「人物」の部分と重なる最も距離の近いフォーカスポイント１５ｃのみが合焦とみなせるような被写界深度が演算され、レンズ位置及び絞り値が決定されて「人物」のみについて合焦した写真を撮ることができる。
なお上記では、領域設定枠２２の位置や大きさを設定することで、合焦と見做して撮影するための範囲を指定（設定）するようにしているが、これに限られず、フォーカスポイント１５そのもので指定するようにしても良い。その場合には、複数のフォーカスポイント１５のうち合焦させたいフォーカスポイントを、操作部１０を用いて指定操作し、指定されたフォーカスポイントの表示を指定されていないフォーカスポイントとは識別可能に（例えば表示色、表示濃度、あるいは表示輝度を変えたりするなどして）強調表示するようにすればよい。例えば図５（ｂ）の状態ならば、フォーカスポイント１５ｂと１５ｃの表示を、フォーカスポイント１５ａの表示よりも目立つように（例えば明るくしたり、赤色などの目立つ色にしたり）表示し、図５（ｃ）の状態ならば、フォーカスポイント１５ｃを他のフォーカスポイント１５ａ，１５ｂよりも目立つように表示する。
次に、ファインダー内表示について説明する。
上記では、カメラ背面のＬＣＤ１１の表示状態を示す図５を用いてフォーカスポイント１５の選択や領域設定枠の選択について説明したが、ファインダー部５においてファインダー内表示ユニット５ｆを用いて上記図５と同様の表示を行いながら、上記と同様の選択動作を行うことができる。図１１は、ファインダー部５内で観察される状態を示す図である。図１１（ａ）に示すように、ファインダー内表示ユニット５ｆは、被写体像に重ねて（オーバーラップ）して表示可能な複数のフォーカスポイントの表示パターン１５と、領域設定枠２２の形状及び大きさを複数の状態に変更可能に表示するための表示パターン２２’とを備えたスーパーインポーズ表示用ＬＣＤを有している。そして上述と同様に操作部１０（セレクタ２０及び各ボタン２１ａ〜ｃ）を操作することによって、領域設定枠２２の位置や大きさを、図１１（ｂ）の初期状態から図１１（ｃ）の状態あるいは図１１（ｄ）の状態のように、所望の位置、大きさに変更して表示させることができる。
なおこのファインダー内表示においても、合焦と見做して撮影するための範囲を領域設定枠２２によって指定するものに限られず、フォーカスポイント１５そのもので指定するようにしても良い。その方法については上述と同様である。
なお本実施形態では、スーパーインポーズ表示用ＬＣＤにフォーカスポイント１５のパターンを形成しておくことで、ファインダー内表示におけるフォーカスポイント１５の表示を行うものとして説明したが、このＬＣＤは上述の領域設定枠２２を表示するためのパターンを構成するのみとし、フォーカスポイント１５については従来周知のＬＥＤを用いて表示する手法を用いるようにしてもよい。
以上によって、ファインダー部５でも、被写体像と重ねて確認しながら、合焦と見做して撮影させたい領域あるいは位置の設定を行うことができる。
【００２７】
以下、上述したフォーカスポイント１５の範囲の選択において制御部７が行う処理をフローチャートを用いて説明する。図６は、被写界深度優先撮影モードが選択された場合の、カメラ１のメインルーチンを示した図である。また、図７は、図６のメインルーチンの（１）から続くサブルーチンを示した図である。以下、ステップ毎に説明する。
【００２８】
＜メインルーチン＞
（ステップ１）
撮影者は、撮影を開始するために、カメラ１の電源をオンにする。そして、図示しない撮影モードダイヤルによって被写界深度優先撮影モードを選択し、ステップ２へ進む。
【００２９】
（ステップ２）
ステップ２では、スルー画を用いて撮影者がフレーミングを行うのか、あるいはファインダー５を用いてフレーミングを行うのかによって動作が異なる。まず、スルー画でフレーミングを行う場合のステップＳ２の動作を述べる。
スルー画表示操作(例えば不図示のスルー画表示ボタンのＯＮ操作)がなされると、図１のメインミラー３ａを、一旦退避した状態に設定して、ＬＣＤ１１上にスルー画像を表示する。
撮影者は、このＬＣＤ１１に表示されたスルー画像で被写体を観察しながら、適宜フレーミングを行い、図４で示すように撮影視野を決定する。その後、ステップ３へ進む。
一方、ファインダーを覗いた状態で撮影者がフレーミングを行う場合、上述のスルー画表示ボタンがＯＮ操作されていない場合には、本ステップＳ２では、ファインダー内表示を行うためのファインダー内表示ユニット５ｆを起動することになる。この場合には、メインミラー３ａは、ミラーダウン状態にある。
【００３０】
（ステップ３）
ＦＰ選択終了ボタン２０ａが押されたかどうかを判断する。ＦＰ選択終了ボタン２０ａが押されていない場合（ＮＯ）は、選択中と判断して、サブルーチン（１）に進む。ＦＰ選択終了ボタン２０ａが押された場合（ＹＥＳ）、撮影準備が整ったと判断し、ステップ４へ進む。
【００３１】
（ステップ４）
レリーズボタン９が押されたかどうか確認する。レリーズボタン９が押されていない場合（ＮＯ）はＳ１１へ進む。レリーズボタン９が押されている場合（ＹＥＳ）は、Ｓ５へ進む。
【００３２】
（ステップ１１）
セレクタ２０が操作されたかどうか監視する。ここで、セレクタ２０を監視するのは、一旦フォーカスポイント１５の領域選択が終了しても、レリーズ直前に再度選択し直される場合があるからである。セレクタ２０が操作された場合、再設定と判断されてサブルーチン（１）へと進む。
【００３３】
（ステップ５）
上述のステップＳ２においてミラーアップを行った場合(スルー画表示を行った場合)には、その退避状態(ミラーアップ状態)にあったメインミラー３ａを元の位置（図１の状態／ミラーダウン状態）に移動させた上で、そうでなければ(スルー画表示を行っていなければ)ミラーはそのまま（ミラーダウン状態にしたまま）で、撮影レンズ２を通る被写体からの光の測光を測定部５ｄ，５ｅを用いて行う。その後ステップ６へ進む。
【００３４】
（ステップ６）
選択された領域内の全てのフォーカスポイント１５について測距部６により測距を行い、デフォーカス量を検出する。そして選択された領域内の略中間の距離にピントが合うように撮影レンズ２の駆動量を演算し、制御部７を介してフォーカス制御部１３に出力する。フォーカス制御部１３は制御部７の出力に応じて撮影レンズ２内のフォーカスレンズを駆動する。その後、ステップ７へ進む。
【００３５】
（ステップ７）
デフォーカス量を元に、選択された領域内の全て、即ち、選択された領域に重なる被写体における最も距離の近い部分と最も距離の遠い部分のいずれも合焦とみなせるような最適絞り値が計算される。その後、ステップ８に進む。
【００３６】
（ステップ８）
ステップ５において測定された測光値、ステップ７において計算された絞り値に応じたシャッタ秒時が計算される。その後、ステップ９に進む。
【００３７】
（ステップ９）
所定時間経過を待つ。所定時間とは、シャッタータイムラグのことで、制御部７によってメインミラー３ａを駆動するアクチュエータが作動され、メインミラー３ａのミラーアップ及びこれに伴うサブミラー３ｂの光路からの退避を行い、実際に露光を開始するまでの時間を言う。すなわち、このときに、ミラーアップ動作(ミラー３ａ，３ｂ)の退避動作）が行われていることになる。所定時間が経過していない場合（ＮＯ）、再度ステップ９を繰り返し、所定時間が経過した場合（ＹＥＳ）は、ステップ１０に進む。
【００３８】
（ステップ１０）
ミラー部３と撮像素子４との間に配置されたシャッタユニット１２の先幕が開位置に駆動され、計算されたシャッタ時間だけ露光すると後幕が駆動させてシャッタが閉じる。これにより、シャッタが開き、撮像素子４に対して被写体像が露光され撮影が行われる。
【００３９】
次に、図６の（１）から続くサブルーチンのフローチャートについて説明する。図７は、そのサブルーチンを示した図であり、このサブルーチンでは、セレクタ２０によってフォーカスポイント１５の領域の選択が行われる。
【００４０】
（ステップ２０）
セレクタ２０が操作されたかどうかを監視し、操作されていない場合（ＮＯ）はステップ２４に進む。セレクタ２０が操作された場合（ＹＥＳ）は、ステップ２１へ進む。
【００４１】
（ステップ２４）
ＦＰ選択終了ボタン２０ａが押されたかどうかが判断される。押されていない場合（ＮＯ）は、再度ステップ２０に戻る。ＦＰ選択終了ボタン２０ａが押されている場合（ＹＥＳ）は、撮影準備が整ったと判断してメインルーチンの（２）に進み、図６のレリーズボタン９が押されたか否かの判断がなされるステップ４に進む。
【００４２】
（ステップ２１）
セレクタ２０の上ボタン２０ｂ、下ボタン２０ｃ、左ボタン２０ｄ又は右ボタン２０ｅのいずれが押されたかが判断される。その後ステップ２２に進む。
【００４３】
（ステップ２２）
移動ボタン２１ａ、拡大ボタン２１ｂ、縮小ボタン２１ｃのいずれが押されたか否かが判断される。いずれのボタンも押されない場合（ＮＯ）、ステップ２４へと進む。いずれかのボタンが押された場合（ＹＥＳ）、ステップ２２へと進む。
【００４４】
（ステップ２３）
ステップ２２で、移動ボタン２１ａが押された場合、ステップ２１で押されたセレクタ２０のいずれかのボタンの方向に、領域設定枠２２の全体が移動する。拡大ボタンが押された場合、ステップ２１で押されたセレクタ２０の上下左右のいずれかのボタンで指定されたライン(設定枠２２の上下左右のいずれかのライン)が移動して、領域設定枠２２が拡大する。縮小ボタンが押された場合、ステップ２１で押されたセレクタ２０のいずれかのラインが移動して、領域設定枠２２が縮小する。これにより、複数のフォーカスポイント１５を含む領域のどの範囲を合焦とみなすようにするかが決定される。その動作が終了したらＳ２０へ戻り、再度、セレクタが操作されているか否かが判断される。
なお上記実施形態において、領域設定枠２２を指定（設定）するのではなく、フォーカスポイント１５そのものを指定（設定）する場合には、上述のステップＳ２２，Ｓ２３の動作は行わずに、ステップＳ２１の後にステップＳ２４に進むフローとされる。具体的には次のように変更される。
まずステップＳ２１の動作から説明する。
ステップＳ２１のセレクターの操作に応じて、その操作位置に対応する位置のフォーカスポイント１５を上述の如く強調表示させて、ステップＳ２４に進む。
次にステップＳ２４において、ＦＰ選択終了ボタン２０ａがＯＮ操作されていれば図６のステップＳ４に進み、そうでなければステップＳ２０に戻る。このときのＦＰ選択終了ボタン２０ａに対するＯＮ操作は、ステップＳ２０、Ｓ２１で選択されたフォーカスポイントの使用を決定する操作として判断される。そして更に指定したフォーカスポイントがある場合には、セレクタ操作がなされることにより、ステップＳ４からステップＳ１１→ステップＳ２０→ステップＳ２１→ステップＳ２４とフローが流れることとなり、所望のフォーカスポイントを設定することができる。
【００４５】
以上、本実施形態によると次の効果がある。
（１）撮影者の好みに応じた、任意の領域のみ合焦とみなせるように被写界深度を設定することができる。
（２）また、（１）のような撮影者の好みに応じた被写界深度の設定は、セレクタ２０の各ボタンにより容易に行うことができる。
（３）スルー画像の場合にはＬＣＤ１１に、ファインダー像（光学像）の場合には焦点板５ｂにそれぞれオーバラップしてフォーカスポイント１５及び領域設定枠２２が表示されるので、画像を観察しながら合焦位置を選択することができ、選択が容易である。
【００４６】
（第２実施形態）
第２実施形態において、カメラの構成及びメインルーチンは第１実施形態と同様であるのでその説明は省略する。フォーカスポイント１５’の選択は第１実施形態と異なり、領域指定でなく、除外したいフォーカスポイント１５’を選択する方法で行われる。
【００４７】
被写界深度優先撮影モードを選択した場合に、ＬＣＤ１１に表示される撮影視野のスルー画像を図８（ａ）に示す。スルー画像には、フォーカスポイント１５’が重ねて表示されている。このフォーカスポイント１５’の全てについて合焦とみなせる被写界深度の深い状態での撮影を希望する場合、図３のＦＰ選択終了ボタン２０ａを押す。そしてレリーズボタン９を押すと、フォーカスポイント１５’のうちの、「山」の部分と重なる最も距離の遠いフォーカスポイント１５’ａと、「家」の部分と重なる中間的な距離のフォーカスポイント１５’ｂと、「人物」の部分と重なる最も距離の近いフォーカスポイント１５’ｃと、の全てについて図１の測距部６によって測距が行われ、これらのいずれもが合焦とみなせるような被写界深度が演算され、レンズ位置、及び絞り値が決定されてフォーカスポイント１５’の全ての領域について合焦とみなすことのできる被写界深度の深い写真を撮ることができる。
【００４８】
フォーカスポイント１５’のうちの一部のフォーカスポイント１５’ｂ，１５’ｃのみの合焦を希望する場合、セレクタ２０の上下左右のボタン２０ｂ，２０ｃ，２０ｄ，２０ｅを操作し、「山」に存在する２つのフォーカスポイント１５’ａのうちの一方を選択する。そうすると選択されたフォーカスポイント１５’ａは点滅する。同様の操作を繰り返し、「山」に存在するフォーカスポイント１５’ａの他方を選択する。そうすると選択されたフォーカスポイント１５’ａは点滅する。この状態のときに除外ボタン２１ｄを押すと点滅している２つのフォーカスポイント１５’ａは色が薄く表示される。図８（ｂ）はその状態を示した図である。この状態でレリーズボタン９を押すと、「山」の部分と重なる２つのフォーカスポイント１５’ａ以外の、「家」の部分と重なる中間的な距離のフォーカスポイント１５’ｂと、「人物」の部分と重なる最も距離の近いフォーカスポイント１５’ｃとの両方が合焦とみなせるような被写界深度が演算される。そしてレンズ位置と絞り値が決定されて、「家」と「人物」とについて合焦した写真を撮ることができる。「人物」と、「家」が合焦し、「山」の部分にはピントがあっていない状態で撮影される。
【００４９】
また、フォーカスポイント１５’のうちの「人物」とオーバラップするフォーカスポイント１５’ｃのみの合焦を希望する場合、セレクタ２０の上下左右のボタン２０ｂ，２０ｃ，２０ｄ，２０ｅ及び除外ボタン２１ｄによって「山」に存在するフォーカスポイント１５’ａ及び「家」に存在するフォーカスポイント１５’ｂを除外する。この場合も、除外されたフォーカスポイント１５’ａ，１５’ｂは、色が薄く表示される。図８（ｃ）はその状態を示した図である。この状態でレリーズボタン９を押すと、フォーカスポイント１５’のうちの、「山」及び「家」の部分と重なる最も距離の遠いフォーカスポイント１５’ａと、「家」の部分と重なる中間的な距離のフォーカスポイント１５’ｂ以外の、「人物」の部分と重なる最も距離の近いフォーカスポイント１５’ｃのみ合焦とみなせるような被写界深度が演算され、レンズ位置と絞り値が決定されて、「家」のみについて合焦した写真を撮ることができる。
次に、ファインダー内表示について説明する。
上記では、カメラ背面のＬＣＤ１１の表示状態を示す図８を用いて、除外するフォーカスポイント１５の選択について説明したが、ファインダー部５においてファインダー内表示ユニット５ｆを用いて上記図５と同様の表示を行いながら、上記と同様の選択動作を行うことができる。図１１（ｄ）は、ファインダー部５内で観察される状態を示す図である。上述と同様な除外操作（上述のセレクタ２０及び除外ボタン２１ｄによる操作）がなされると、ファインダー内表示ユニット５ｆは、選択された除外フォーカスポイント１５’ａの色を薄く（図中、点線で表示）表示する。このようにして、ファインダー部５でも、被写体像と重ねて確認しながら、削除するフォーカスポイントの選択設定を行うことができる。
【００５０】
以下、図８のフローチャートにおける（１）から続くサブルーチンの第２実施形態のフローチャートを、図１１により説明する。本実施形態では、このサブルーチンにより排除するフォーカスポイント１５’の選択が行われる。
【００５１】
（ステップ３０）
セレクタ２０が操作されていない場合（ＮＯ）はステップ３５に進む。セレクタ２０が操作されている場合（ＹＥＳ）は、ステップ３１へ進む。
【００５２】
（ステップ３５）
ＦＰ選択終了ボタン２０ａが押されたかどうかを監視する。ＦＰ選択終了ボタン２０ａが押されていなかった場合、Ｓ３０へ戻る。ＦＰ選択終了ボタン２０ａが押されていたら撮影準備が整ったと判断してメインルーチンの（２）へ進み、図８のレリーズボタン９が押されたか否かの判断がなされるステップ４に進む。
【００５３】
（ステップ３１）
セレクタ２０の上ボタン２０ｂ、下ボタン２０ｃ、左ボタン２０ｄ又は右ボタン２０ｅのいずれが押されたかが判断される。その後ステップ２２に進む。
【００５４】
（ステップ３２）
ステップ３２で押された上ボタン２０ｂ、下ボタン２０ｃ、左ボタン２０ｄ又は右ボタン２０ｅの方向に対応したフォーカスポイント１５’が点滅し、どのフォーカスポイント１５’が選択されたかが示される。
【００５５】
（ステップ３３）
除外ボタン２１ｄが押されたかどうかが判断される。除外ボタン２１ｄが押された場合（ＹＥＳ）、Ｓ３４に進む。除外ボタン２１ｄが押されていない場合（ＮＯ）、Ｓ３６に進む。
【００５６】
（ステップ３４）
除外されたフォーカスポイント１５を薄く表示し、除外されたことを示す。その後ステップ３０へ戻る。
【００５７】
（ステップ３６）
セレクタ２０が操作されたかどうかを判断する。操作されていない場合（ＹＥＳ）、Ｓ３３へ戻る。操作された場合、撮影者が違うフォーカスポイント１５を選択しようとしたものと判断してＳ３１へ戻る。
【００５８】
以上、第２実施形態によると、第１実施形態の効果に加えて、以下の効果を有する。
（１）フォーカスポイントを、四角の領域設定枠で囲まずに、一点ずつ選択して除外していくので、四角の枠で囲むことのできない複雑な範囲を設定することができる。
（２）除外されたフォーカスポイントが薄くなるので、除外されたかどうかを判定しやすい。
【００５９】
（第３実施形態）
第３実施形態において、カメラ１の構成は第１実施形態と同様であるのでその説明は省略する。
【００６０】
第３実施形態において、撮像素子４で撮影される画像をスルー画像としてＬＣＤ１１に表示すると共に、制御部７によりその画像を解析処理して被写体の種類毎に分類される。例えば、周知の顔認識処理技術を用いて、人物被写体を特定する。そして、図１０に示すように「人物優先」、「人物＋背景」といった文字表示が、被写体とオーバラップして、又はその文字表示のみでＬＣＤ１１に表示される。ここで、セレクタ２０の上ボタン２０ｂを押すと「人物優先」が選択される。この状態でＦＰ選択終了ボタン２０ａを押すと、「人物優先」モードが選択される。そしてレリーズボタン９を押すと、人物のみ(顔認識処理技術で顔領域と特定された領域についてのみ)について測距が行われ、「人物」のみ合焦とみなせるような被写界深度が演算され、被写界深度の浅い写真を撮ることができる。
【００６１】
また、図１０に示す「人物優先」、「人物＋背景」といった表示がＬＣＤ１１に表示された後、セレクタ２０の下ボタン２０ｃを押すと「人物＋背景」が選択される。この状態でＦＰ選択終了ボタン２０ａを押し、レリーズボタン９を押すと、「人物」及び「背景（山）」について合焦とみなせるような被写界深度が演算され、被写界深度の深い写真を撮ることができる。なお、この場合、例えば背景部分がハイライトになっている場合は空と判断してその部分は除外する。
【００６２】
以上、第３実施形態によると、第１実施形態の効果に加えて、以下の効果を有する。
（１）被写体の種類を選択するだけで被写界深度が自動で決定されるので設定が容易である。
【００６３】
（変形形態）
以上、上述の実施形態に限定されることなく、種々の変形や変更が可能であって、それらも本発明の範囲内である。
（１）第１実施形態において、複数のフォーカスポイント１５について合焦を希望する領域を領域設定枠２２で囲んだが、これに限定されず、合焦を希望しない除外領域を枠で囲むようにしてもよい。
（２）第２実施形態において、複数のフォーカスポイント１５について合焦を希望しないフォーカスポイントを個々に選択したが、これに限定されず、合焦を希望するオフォーカスポイントを選択するようにしてもよい。
（３）第１〜第３実施形態において、フォーカスポイント１５をＬＣＤ４に表示したが、これに限定されず、例えば、ファインダー部５にフォーカスポイント表示部を設け、光学ファインダー上で光学像にオーバラップさせて表示してもよい。
（４）第２実施形態において、合焦させないフォーカスポイントを薄く表示するようにしたが、これに限定されず、合焦させないフォーカスポイントの表示が消えるようにしてもよい。
（５）上述の実施形態では、一眼レフのデジタルカメラについて説明したが、これに限定されず、撮影光学系からの光を光学ファインダーへ導くミラー部を備えない、いわゆるコンパクトカメラであってもよく、またフィルムカメラであってもよい。更に、絞り設定可能であればビデオカメラであってもよい。
（６）また、第１及び第２実施形態では、フォーカスポイントを１１点としたがこれに限定されず、これ以下でも、またこれ以上であってもよい。また全体としてひし形形状に配置したがこれに限定されず、矩形、円形、楕円形であってもよい。
（７）第１実施形態でフォーカスポイントを囲む領域設定枠２２を矩形としたがこれに限定されず、円形又は楕円形であってもよい。
なお、第１実施形態〜第３実施形態及び変形形態は、同一のカメラにおいて選択によりいずれも可能とする構成であってもよいが、詳細な説明は省略する。また、本発明は以上説明した各実施形態によって限定されることはない。
【図面の簡単な説明】
【００６４】
【図１】本発明の実施形態のカメラの構成を示すブロック図である。
【図２】被写界深度優先モードが選択された場合に、ＬＣＤに表示される複数のフォーカスポイントを示した図である。
【図３】操作部を示した図である。
【図４】第１実施形態においてＬＣＤに表示されるスルー画像であり、フォーカスポイントが重ねて表示されている。
【図５】図４の状態において領域設定枠が表示された状態を示した図である。
【図６】第１実施形態において被写界深度優先撮影モードが選択された場合の、カメラのメインルーチンを示した図である。
【図７】図６の（１）から続く第１実施形態におけるサブルーチンを示した図である。
【図８】第２実施形態においてＬＣＤに表示されるスルー画像であり、フォーカスポイントが重ねて表示されている。
【図９】図６の（１）から続く第２実施形態におけるサブルーチンを示した図である。
【図１０】第３実施形態におけるＬＣＤ表示を示した図である。
【図１１】ファインダー内の観察状態(表示状態)を示した図である。
【符号の説明】
【００６５】
１：カメラ、４：撮像素子、６：測距部、７：制御部、１５：フォーカスポイント、２０：セレクタ
【図１】
2008256826.tif 000003
【図２】
2008256826.tif 000004
【図３】
2008256826.tif 000005
【図４】
2008256826.tif 000006
【図５】
2008256826.tif 000007
【図６】
2008256826.tif 000008
【図７】
2008256826.tif 000009
【図８】
2008256826.tif 000010
【図９】
2008256826.tif 000011
【図１０】
2008256826.tif 000012
【図１１】
2008256826.tif 000013